(57)【要約】【課題】  ネットワーク接続機能を持たない再生専用のＢＤ−ＲＯＭプレーヤでは、プレイリストを変更したい場合は、ＢＤ−ＲＯＭプレーヤ上のボタン等の単純なインターフェースしか持たないため、プレイリストを編集するのは難しい。【解決手段】  所望のＢＤ−ＲＯＭ上のプレイリストをＰＣにて読み込み、ＰＣ上のプレイリスト編集手段にて所望のプレイリストを編集にて得た後、編集済みプレイリストを可換型外部記憶装置に保存し、ＢＤ−ＲＯＭプレーヤの外部接続手段に可換型外部記憶装置を接続することにより、編集済みのプレイリストをＢＤ−ＲＯＭプレーヤで使用できる。【選択図】        図３
2007294058.tif 000002
【特許請求の範囲】
【請求項１】
情報処理手段と、この情報処理手段を制御するプログラムや情報を格納する格納手段と、データを一時的に格納する一時的格納手段と、大容量記録媒体の情報を読み取る手段と、この読み取った情報を映像信号または音声信号を変換する手段と、前記読み取った情報の中で再生手順を示す情報を保存する不揮発性記憶手段と、可換型外部記憶手段を着脱可能に接続できる外部記憶装置接続手段を備えた映像音声再生装置において、
上記不揮発性記憶手段に保存されている再生手順情報と前記可換型外部記憶手段に保存されている再生手順情報のいずれかを選択可能とする再生手順情報制御手段を備えたことを特徴とする映像音声再生装置。
【請求項２】
別の映像音声再生装置が備えた再生手順情報制御手段とネットワークを介してアクセス可能とし、かつ前記別の映像音声再生装置が備えた再生手順情報制御手段を利用可能とするネットワーク接続手段を備えたことを特徴とする請求項１記載の映像音声再生装置。
【請求項３】
映像音声再生装置機能を有するパーソナルコンピュータが備えた再生手順情報制御手段とネットワークを介してアクセス可能とし、かつ前記別の映像音声再生装置が備えた再生手順情報制御手段を利用可能とするネットワーク接続手段を備えたことを特徴とする請求項１記載の映像音声再生装置。
【発明の詳細な説明】
【技術分野】
【０００１】
本発明は、ブルーレイディスクのＲＯＭ（Ｒｅａｄ  Ｏｎｌｙ  Ｍｅｍｏｒｙ）規格であるＢｌｕ−Ｒａｙ  Ｄｉｓｃ  Ｒｅａｄ  Ｏｎｌｙ  Ｍｅｍｏｒｙ（読み出し専用ディスク、以下、ＢＤ−ＲＯＭ）といった大容量の記録媒体に記録された映像・音声ストリームの記録と同時記録されている専用のデータベースに対して、ユーザが任意の編集を行ったものを使用するときに、着脱可能な別の記録媒体に保存したものや装置内に備えた記録媒体のいずれからでも再生を可能とする映像音声再生装置に関するものである。
【背景技術】
【０００２】
ブルーレイディスク規格のＢＤ−ＲＯＭで定義されているＡＶフォーマットのうちで、プロファイル２はネットワーク接続機能を有するので、再生する映像データの指定区間を記録した任意の再生手順を記述したもの（以下、プレイリストという）をＢＤ−ＲＯＭ上に持つだけでなく、ＢＤ−ＲＯＭプレーヤが備えているローカルストレージに別途プレイリストをネットワークより取り込み、随時ＢＤ−ＲＯＭに記録された情報を最新の状態に保持する機能を持つ。一方、プロファイル１ではネットワーク接続機能を持たないために、プレイリストはＢＤ−ＲＯＭ上には存在するが、ＢＤ−ＲＯＭプレーヤが備えているローカルストレージに別のプレイリストを外部より取り込むことは容易にはできない。
【０００３】
そのため、プロファイル１対応のネットワーク接続機能を持たないＢＤ−ＲＯＭプレーヤにおいては、プレイリストの編集手段を有した場合にのみ、ＢＤ−ＲＯＭに格納されているプレイリスト以外のプレイリストを得ることができる（例えば、非特許文献１、非特許文献２参照）。
【０００４】
【非特許文献１】日経エレクトロニクス、２００３年７月２１日、ｐ．１３４（図１２）
【非特許文献２】ソニー；ブルーレイディスクの特色、２００６年４月２５日検索、下記ＵＲＬによりアクセスしたインターネットホームページ（図２０）＜URL:http://www.sony.jp/products/Consumer/BD/technology/blu_3.html＞
【発明の開示】
【発明が解決しようとする課題】
【０００５】
ネットワーク接続機能を持たない再生専用のＢＤ−ＲＯＭプレーヤ（以下、ＢＤ−ＲＯＭプレーヤプロファイル１）では、プレイリストがＢＤ−ＲＯＭ上にしかない。そのため、不要部分を飛ばしたり、シーンの順序を変えて再生する等のユーザによる任意の再生手順を編集する場合、ＢＤ−ＲＯＭプレーヤプロファイル１上でプレイリストの編集手段を持ち、編集したプレイリストをローカルストレージに格納する手段を持つことが必要である。その場合、ＢＤ−ＲＯＭに格納されたプレイリスト以外のプレイリストを得ることができる。しかし、ＢＤ−ＲＯＭプレーヤプロファイル１上のボタン等の操作手段、あるいはＢＤ−ＲＯＭプレーヤプロファイル１を操作するためのリモコン等の操作手段は、一般的にテンキーなどの限られたボタンしか備えておらず、インターフェースが単純であり所望の再生手順を示すプレイリストを編集するのは困難であった。
【０００６】
この発明は上記の課題を解決するためになされたものであり、パソコン等を利用して、プレイリストの編集を容易にするものである。
【課題を解決するための手段】
【０００７】
この発明に係る映像音声再生装置は、制御の中心となる情報処理手段と動作するプログラムや情報を格納する格納手段とデータを一時的に格納する一時的格納手段と映像信号、及び音声信号を変換する手段と大容量の記録媒体からの情報を読み書きする手段と不揮発性記憶手段と外部記憶装置接続手段を備えた映像音声再生装置において、大容量の記録媒体に保存されている再生手順情報をＰＣ等で別途編集した後に上記外部記憶装置接続手段を介して可換型外部記憶手段を接続することによって上記不揮発性記憶手段に上記編集した再生手順情報を書き込んだときに上記不揮発性記憶手段可換型外部記憶手段に保存されている再生手順情報と上記可換型外部記憶手段に保存されている再生手順情報のいずれかを選択することを可能とするものである。
【発明の効果】
【０００８】
ローカルストレージに既に格納してあるプレイリストと可換メモリ上の別のプレイリストのどちらからでも任意のプレイリストを選択可能とすることで、所望のＢＤ−ＲＯＭの再生手順を得ることができる。
【発明を実施するための最良の形態】
【０００９】
実施の形態１．
図１は、実施の形態１に係る映像音声再生装置１００の構成図である。図において、ＣＰＵ１０１は、本装置全体の動作を制御する情報処理手段である。ＲＯＭ１０２は、ＣＰＵ１０１の動作に関わるプログラムやデータが書き込まれる格納手段である。ＲＡＭ１０３は、前記プログラムによる装置動作の際に、一時的な情報が書き込まれる一時的格納手段である。光ディスクドライブ１０７は、ＢＤ−ＲＯＭ１０６に蓄積された情報を読み取る。ＡＶデコーダ１０４は、この読み取られた情報を映像信号および音声信号に変換し、表示装置１０５に転送する。フラッシュメモリやハードディスクドライブ等からなる不揮発性記憶手段１０９は、後述するプレイリスト構成を保存するものである。外部記憶装置接続手段１１０には、フラッシュメモリ等の可換型外部記憶装置１１１を着脱可能に接続できる。また、再生手順情報制御手段１０８は、プレイリスト構成を選択するものである。
【００１０】
ＢＤ−ＲＯＭ１０６上の映像、音声ストリームからなるコンテンツを読み出して表示装置１０５に出力する場合、光ディスクドライブ１０７から読み出された情報は逐次ＲＡＭ１０３に蓄えられた後、ＡＶデコーダ１０４で映像信号、音声信号に変換されてテレビ等の表示装置１０５に転送され表示される。このとき、ＡＶデコーダ１０４に送り込まれる情報をＣＰＵ１０１がＲＯＭ１０２に格納されたプログラムによって制御する。
【００１１】
図２および図３は、それぞれ、実施の形態１に係る映像音声再生機能を有するＰＣ、および映像音声再生装置であるＢＤ−ＲＯＭプレーヤの動作を説明するための模式図である。  
図２においては、映像音声再生装置がＰＣに内蔵又は外付けされている等により、ＰＣが映像音声再生機能を有している。一方、図３においては、映像音声再生装置１００はＢＤ−ＲＯＭプレーヤとして、独立した装置となっている。
図２において、ＢＤ−ＲＯＭ１０６に格納されているコンテンツの再生手順を任意に指定したい場合、利用者は、上記ＢＤ−ＲＯＭ１０６をＰＣ２０１に内蔵又は外付けされた映像音声再生装置１００（図示せず）に挿入する。そして、上記ＰＣ２０１に備えるプレイリスト編集アプリケーションによって、上記ＢＤ−ＲＯＭ１０６に格納されているプレイリスト２０３と上記ＢＤ−ＲＯＭ１０６に格納されている映像および音声ストリームを読み込む。上記プレイリスト編集アプリケーションによって、映像や音声の任意の指定範囲を編集し、ＢＤ−ＲＯＭ１０６に格納されているプレイリスト２０３とは内容の異なった編集後のプレイリストＣ２０４が、上記ＰＣ２０１上に生成される。
【００１２】
ここで、図４に基づいて、プレイリストの編集方法の一例を説明する。
ＢＤ−ＲＯＭ１０６に格納されているコンテンツは、ひとまとめの映像、音声としてユーザが認識する単位としてプレイリストを有する。そのひとつのプレイリスト＃１Ａ４０１により再生する実際のＭＰＥＧストリームデータファイルとして、ムービークリップ＃１Ａ４０４およびムービークリップ＃２Ａ４０５のそれぞれの再生範囲の始点をあらわすＩＮ点と終点をあらわすＯＵＴ点を指定する。このＩＮ点、ＯＵＴ点のそれぞれの組を、ムービークリップ毎に、プレイアイテム＃１Ａ４０２、プレイアイテム＃２Ａ４０３として構成する。
ＰＣや発明装置上でのプレイリスト編集する方法としては、プレイアイテム＃１Ａ４０２、プレイアイテム＃２Ａ４０３が、それぞれ図４下段に示すプレイアイテム＃１Ｂ４０６、プレイアイテム＃２Ｂ４０７になるように、ＩＮ点、ＯＵＴ点を変更することである。これによってムービークリップ上の任意の時間を再生することができ、プレイリストファイルとして保存することができる。
【００１３】
図２に戻り、ＰＣ２０１に搭載されている外部接続手段２０２に可換型外部記憶装置１１１を接続し、上記編集後のプレイリストＣ２０４を上記可換型外部記憶装置１１１に保存する。保存後、上記可換型外部記憶装置１１１を上記外部接続手段２０２から取り外し、さらに、上記ＢＤ−ＲＯＭ１０６を取り出す。
【００１４】
そして、図３において、ＢＤ−ＲＯＭ１０６を映像音声再生装置１００に挿入し、プレイリストＣ２０４を保存してある可換型外部記憶装置１１１を、上記映像音声再生装置１００に搭載されている外部記憶装置接続手段１１０に接続する。上記映像音声再生装置１００に挿入したＢＤ−ＲＯＭ１０６上のコンテンツを再生する場合、ＢＤ−ＲＯＭ１０６上のプレイリストＡ３０１と不揮発性記憶手段１０９上にあるプレイリストＢ３０２を用いて、これを統合して仮想的なプレイリストとしてＲＡＭ１０３上にプレイリストを構築する場合と、上記プレイリストＡ３０１と可換型外部記憶装置１１１上のプレイリストＣ２０４を用いて、ＲＡＭ１０３上に仮想的なプレイリストを構築する場合が考えられる。この装置では、再生手順情報制御手段１０８が、ユーザが利用したいプレイリストを選択する機能を持つ。
【００１５】
次に図５に基づいて、プレイリストの統合方法の一例について述べる。ＢＤ−ＲＯＭプレーヤ１００上に格納されたプレイリスト５０１、可換型外部記憶装置１１１に格納されているプレイリスト５０４、及びＲＡＭ１０３上にてプレイリスト５０１とプレイリスト５０４を統合して仮想的に生成されたプレイリスト５０７を示す。
ＢＤ−ＲＯＭプレーヤ１００に挿入したＢＤ−ＲＯＭ１１６上のプレイリスト構成５０１では、２つのプレイリストファイルとしてプレイリストファイル＃Ａ５０２（００００．ｍｐｌｓ）とプレイリストファイル＃Ｂ５０３（０００１．ｍｐｌｓ）を持っている。また、ＰＣ上で編集して得たプレイリスト構成として可換型外部記憶装置１１１上のプレイリスト構成＃Ａ５０４では、２つのプレイリストファイルとしてプレイリストファイル＃Ｃ５０５（００００．ｍｐｌｓ）とプレイリストファイル＃Ｄ５０６（０００２．ｍｐｌｓ）を持っている。ここで、プレイリストファイル＃Ａ５０２とプレイリストファイル＃Ｃ５０５は、どちらも同じファイル名として００００．ｍｐｌｓで示されており、同じ内容のファイルとして扱う。不揮発性記憶手段１０９上のプレイリスト構成＃Ａ５０７に統合する場合、プレイリストファイル＃Ａ５０２、プレイリストファイル＃Ｂ５０３およびプレイリストファイル＃Ｄ５０６を用いることによって、それぞれプレイリストファイル＃Ｅ５０８、プレイリストファイル＃Ｆ５０９およびプレイリストファイル＃Ｇ５１０としてプレイリスト構成＃Ａ５０７を構成し、ＢＤ−ＲＯＭ１０６の再生に使用する。
【００１６】
不揮発性記憶手段１０９上にＢＤ−ＲＯＭ１０６上のコンテンツを再生するプレイリストを仮想的に生成する際には、上記方法を応用して、可換型外部記憶装置１１１上に保存したプレイリスト構成＃Ａ５０７以外に、内容の違うプレイリスト構成＃Ｂ５１１をＰＣ上で作成し、可換型外部記憶装置１１１上に保存する。上記プレイリスト構成５０１とプレイリスト構成＃Ｂ５１１より、上記と同様の方法でプレイリスト構成＃Ｂ５１４を生成することもできる。
【００１７】
映像音声再生装置１００に挿入したＢＤ−ＲＯＭ１０６上のプレイリスト構成５０１では、２つのプレイリストファイルとしてプレイリストファイル＃Ａ５０２（００００．ｍｐｌｓ）とプレイリストファイル＃Ｂ５０３（０００１．ｍｐｌｓ）を持っている。また、ＰＣ２０１上で編集して得たプレイリスト構成として可換型外部記憶装置１１１上のプレイリスト構成＃Ｂ５１１では、２つのプレイリストファイルとして、プレイリストファイル＃Ｈ５１２（００００．ｍｐｌｓ）とプレイリストファイル＃Ｉ５１３（０００３．ｍｐｌｓ）を持っている。ここで、プレイリストファイル＃Ａ５０２とプレイリストファイル＃Ｈ５１２はどちらも同じファイル名として００００．ｍｐｌｓで示されており、同じ内容のファイルとして扱い不揮発性記憶手段１０９上のプレイリスト構成＃Ｂ５１４に統合する場合、プレイリストファイル＃Ａ５０２、プレイリストファイル＃Ｂ５０３およびプレイリストファイル＃Ｉ５１３を用いることによって、それぞれプレイリストファイル＃Ｊ５１５、プレイリストファイル＃Ｋ５１６およびプレイリストファイル＃Ｌ５１７として、プレイリスト構成＃Ｂ５１４を構成し、ＢＤ−ＲＯＭ１０６の再生に使用する。
【００１８】
これによって、不揮発性記憶手段１０９上、及び可換型外部記憶装置１１１上に任意のプレイリスト構成を別々のファイルとして保持し、映像音声再生装置１００に上記不揮発性記憶手段１０９、及び可換型外部記憶装置１１１上に保持する複数のプレイリスト構成から任意の一つを選択する再生手順情報制御手段１０８を持つことによって、複数個の任意の再生手順を持つことを可能とする。
また、ローカルストレージに既に格納してあるプレイリストと可換型外部記憶装置上の別のプレイリストを複数持つようにしたので、保存しておいた複数のプレイリストから任意のプレイリストを選択することによって所望のＢＤ−ＲＯＭの再生手順を得ることができるという効果がある。
【００１９】
図６は、ユーザがＢＤ−ＲＯＭのムービー等のコンテンツのタイトルリストを選択する際に、プレイリストを含むメディアを選択させるＧＵＩ（Ｇｒａｐｈｉｃａｌ  Ｕｓｅｒ  Ｉｎｔｅｒｆａｃｅ）の一例を示す。映像音声再生装置１００に可換型外部記憶装置１１１が接続されている場合、上記可換型外部記憶装置１１１の接続状況をトリガーとして、表示画面６０１上のメディアセレクト領域６０２に、不揮発性記憶手段選択ボタン６０３と可換型外部記憶装置選択ボタン６０４を表示させる。そして、リモコンなどを用いて、選択アイコン６０５を所望のメディアにあわせ選択することによって、プレイリストＢ３０７、あるいはプレイリストＣ２０４の選択を可能とし、再生手順情報制御手段１０８にて選択したプレイリストをコンテンツ再生に用いる。
【００２０】
実施の形態２．
図７は、実施の形態２に係る映像音声再生装置の構成図である。複数のプレイリストから所望のプレイリストを選択する際に、本装置がネットワークに接続する手段７０１を持つ場合、ネットワーク７０２に接続された別の映像音声再生装置７０３が備えた再生手順情報制御手段Ｂ７０４にて指定されたプレイリストを、ＢＤ−ＲＯＭ１０６の再生に使用する。この場合、実施の形態１の映像音声再生装置に加えて、プレイリストを選択するためのプログラムを格納するＲＯＭ１０２上に、ネットワーク越しにいずれのメディア（不揮発性記憶手段１０９か可換型外部記憶装置１１１）を指定するプログラムが必要であるが、ＨＴＴＰプロトコルを用いてＨＴＭＬで記述された文書に指定メディアを書き込んでやりとりすることによって、実施の形態１の映像音声再生装置と同様に、ネットワーク７０２上の別の映像音声再生装置７０３にて、再生手順情報制御手段Ｂ７０４を用いて選択されたメディア情報を得た上で、再生手順情報制御手段１０８にネットワーク経由で選択メディア情報が受け渡されることによって指定されたメディア上のプレイリストを用いることができる。
【００２１】
実施の形態３．
図８は、実施の形態３に係る映像音声再生装置の構成図である。図７の実施の形態２に係る映像音声再生装置７０３の代わりに、映像音声再生装置７０３（図示せず）が内蔵あるいは外付けで接続されたＰＣ２０１を用いることもできる。この場合、ＰＣ上ではインターネットエクスプローラなどのブラウザを用いることによって、再生手順情報制御手段Ｂ７０４の動作を実現することができるため、再生手順情報制御手段１０８に所望の情報が受け渡すことができる。上記再生手順情報制御手段１０８にて得た情報を元に、実施の形態１の映像音声再生装置と同様に、ＢＤ−ＲＯＭ１０６上の再生に任意のプレイリストを得ることができる。
【００２２】
映像音声再生装置がネットワーク接続手段を持つ場合、ネットワークに接続されたもう一台の別の本発明装置、あるいはＰＣから操作することによって、ローカルストレージに保存されているプレイリスト以外に可換型外部記憶装置上の別のプレイリストを選択することができ、本発明の装置から離れた場所から所望のＢＤ−ＲＯＭの再生手順を得ることができるという効果がある。
また、映像音声再生装置がネットワーク接続手段を持つ場合、ネットワークに接続されたＰＣから操作することによってローカルストレージに保存されているプレイリスト以外に可換型外部記憶装置上の別のプレイリストを選択することができ、ＰＣ上でのプレイリスト編集作業の延長として所望のＢＤ−ＲＯＭの再生手順を得ることができ、ＰＣの前に座った状態で編集からＢＤ−ＲＯＭ再生までの一連のルーチンをこなすことができるという効果がある。
【図面の簡単な説明】
【００２３】
【図１】この発明の実施の形態１に係る映像音声再生装置の構成図である。
【図２】この発明の実施の形態１に係る映像音声再生装置の動作を説明する模式図である。
【図３】この発明の実施の形態１に係る映像音声再生装置の動作を説明する別の模式図である。
【図４】この発明の実施の形態１に係る映像音声再生装置のプレイリストの編集を説明する図である。
【図５】この発明の実施の形態１に係る映像音声再生装置のプレイリストのファイル構成図である。
【図６】この発明の実施の形態１に係る映像音声再生装置のプレイリストを含むメディア選択のＧＵＩ画面の一例を示す図である。
【図７】この発明の実施の形態２に係る映像音声再生装置の構成図である。
【図８】この発明の実施の形態３に係る映像音声再生装置の構成図である。
【符号の説明】
【００２４】
１０１  ＣＰＵ
１０２  ＲＯＭ
１０３  ＲＡＭ
１０４  ＡＶデコーダ
１０７  光ディスクドライブ
１０８  再生手順情報制御手段
１０９  不揮発性記憶手段
１１０  外部記憶装置接続手段
２０１  ＰＣ
【図１】
2007294058.tif 000003
【図２】
2007294058.tif 000004
【図３】
2007294058.tif 000005
【図４】
2007294058.tif 000006
【図５】
2007294058.tif 000007
【図６】
2007294058.tif 000008
【図７】
2007294058.tif 000009
【図８】
2007294058.tif 000010